【事件の表示】
　特願２０１７−　２５３７７「スキンケア化粧料」拒絶査定不服審判事件〔平成２９年　６月１５日出願公開、特開２０１７−１０５８２５、請求項の数（４）〕について、次のとおり審決する。
【結　論】
　原査定を取り消す。
　本願の発明は、特許すべきものとする。
【理　由】
第１　手続の経緯
　本願は、平成２６年　６月２５日（優先権主張　平成２６年　４月２４日）を国際出願日とする特願２０１５−５０４４６８号の一部を平成２９年　２月１４日に新たな出願としたものであって、平成３０年　３月２９日付けで拒絶理由通知がされ、同年１０月１２日付けで拒絶査定（原査定）がされ、これに対し、平成３１年　１月１６日に拒絶査定不服審判の請求がされると同時に手続補正がされたものである。
第２　原査定の理由の概要
　原査定（平成３０年１０月１２日付け拒絶査定）の理由の概要は次のとおりである。
理由１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
理由２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
理由３．（新規性）この出願の下記の請求項に係る発明は、下記の点でその出願前に日本国内又は外国において公然実施をされた発明であるから、特許法第２９条第１項第２号に該当し、特許を受けることができない。
●理由１（新規性）及び理由２（進歩性）について
Ａ　・請求項　１、４〜６
　　・引用文献等　１
Ｂ　・請求項　１、４〜６
　　・引用文献等　２
Ｃ　・請求項　１、４〜６
　　・引用文献等　３
●理由１（新規性）、理由２（進歩性）及び理由３（新規性）について
Ｄ　・請求項　１、３〜６
　　・引用文献等　４
Ｅ　・請求項　１〜２、４〜６
　　・引用文献等　５
Ｆ　・請求項　１〜２、４〜６
　　・引用文献等　６
Ｇ　・請求項　１〜２、４〜６
　　・引用文献等　７
●理由２（進歩性）について
Ｈ　・請求項　２、４
　　・引用文献等　１、８
Ｉ　・請求項　３〜４
　　・引用文献等　１、９〜１０
引用文献等一覧
１.特表２００５−５２９９４６号公報
２.特開平０９−１２４４３０号公報
３.特表２００９−５２０７０７号公報
４.Ｗｈｉｔｅ Ｓｋｉｎ Ｌｉｑｕｉｄ （Ｏｃｈｒｅ１０），ＩＤ３５５６５６，Ｍｉｎｔｅｌ ＧＮＰＤ，２００５年　４月，［検索日２０１８年３月２７日］，インターネット＜ＵＲＬ：ｈｔｔｐ：／／ｗｗｗ．ｐｏｒｔａｌ．ｍｉｎｔｅｌ．ｃｏｍ＞
５.Ｍｏｉｓｔｕｒｉｚｅ Ｗｈｉｔｅｎｉｎｇ Ｌｏｔｉｏｎ ＳＰＦ １０，ＩＤ１６０１８１９，Ｍｉｎｔｅｌ ＧＮＰＤ，２０１１年　７月，［検索日２０１８年３月２７日］，インターネット＜ＵＲＬ：ｈｔｔｐ：／／ｗｗｗ．ｐｏｒｔａｌ．ｍｉｎｔｅｌ．ｃｏｍ＞
６.Ｎｅｃｋ ＆ Ｂｏｄｙ Ｅｘｆｏｌｉａｎｔ Ｌｏｔｉｏｎ，ＩＤ１０３０７５５，Ｍｉｎｔｅｌ ＧＮＰＤ，２００９年　１月，［検索日２０１８年３月２７日］，インターネット＜ＵＲＬ：ｈｔｔｐ：／／ｗｗｗ．ｐｏｒｔａｌ．ｍｉｎｔｅｌ．ｃｏｍ＞
７.Ｗｈｉｔｅｎｉｎｇ Ｈａｎｄ ＆ Ｂｏｄｙ Ｌｏｔｉｏｎ ＳＰＦ １０，ＩＤ２２０１３６０，Ｍｉｎｔｅｌ ＧＮＰＤ，２０１３年１０月，［検索日２０１８年３月２７日］，インターネット＜ＵＲＬ：ｈｔｔｐ：／／ｗｗｗ．ｐｏｒｔａｌ．ｍｉｎｔｅｌ．ｃｏｍ＞
８.特開２００４−３５２７２３号公報
９.特開２００４−２６２８５７号公報
１０.特開２０１１−１７８７６９号公報
第３　本願発明
　本願の請求項１〜４に係る発明（以下、それぞれ「本願発明１」〜「本願発明４」という。）は、平成３１年　１月１６日付けの手続補正で補正された特許請求の範囲の請求項１〜４に記載された事項により特定される以下のとおりのものである。
「【請求項１】
（Ａ）０．００１〜１０質量％のメタケイ酸アルミン酸マグネシウムと、
（Ｂ）１〜４０質量％のオクチルメトキシシンナメート及び／又はジエチルアミノヒドロキシベンゾイル安息香酸ヘキシルと、
を含有することを特徴とする大気汚染物質、酸性液体及び紫外線を含む外的刺激から肌を保護するためのアンチポリューション化粧料。
【請求項２】
（Ｃ）多孔性粉末を更に含有する、請求項１に記載の化粧料。
【請求項３】
（Ｄ）クエン酸（塩）を更に含有する、請求項１又は２に記載の化粧料。
【請求項４】
（Ｅ）抗酸化剤を更に含有する、請求項１から３のいずれか一項に記載の化粧料。」
第４　引用文献の記載事項並びに引用発明及び公然実施発明
１　引用文献の記載
　原査定の拒絶の理由に引用された上記引用文献１〜１０には、それぞれ次の事項が記載されている。
（１）引用文献１
ア　記載事項１−１
「【請求項１】
　複数段階の顔面用ファンデーション製品として適用するのに好適な化粧キットであって、前記キットは：
　ａ）第１の組成物であって：
　　（ｉ）安全且つ有効な量の吸収剤；及び
　　（ｉｉ）第１の皮膚科学的に許容可能なキャリアを含む第１の組成物；並びに
　ｂ）第２の組成物であって：
　　（ｉ）安全且つ有効な量の１種または複数の着色剤類；及び
　　（ｉｉ）第２の皮膚科学的に許容可能なキャリアを含む第２の組成物を特徴とし、
　ここで、前記第２の組成物が、前記第１の組成物の後に顔面の皮膚に局所適用される、化粧キット。」
イ　記載事項１−２
「【００１１】
  別途指示されない限り、すべてのパーセンテージ及び比は重量ベースで計算されている。別途指示されない限り、すべてのパーセンテージは組成物全体をベースにして計算されている。」
ウ　記載事項１−３
「【００１５】
　（第１の組成物）
　本特許請求の範囲に記載されるキットの第１の組成物は、皮膚の状態を改善するため使用者の顔面の皮膚に局所適用される。特に第１の組成物が、顔面の皮膚上に生じる油、皮脂、及び汗の生成を遅らせる援助をすることが意図される。より油性でない皮膚の表面は、第２の顔料製品の適用の受容及び保持についてより受容的であることが、観察されている。例えば、第１の組成物の適用は、滑らかな、自然の外観の、及び審美的に感じのよい有色層のための改善された基礎層を提供し、その結果消費者に受け入れられる顔面用有色製品を実現することが観察された。第１の組成物は吸収剤を含有するが、改善された油、皮脂、及び汗の吸収のために、その後に適用される組成物中に同じまたは類似の吸収剤類が包含されてもよいことが想定される。
【００１６】
　好適な吸収剤類には、以下に限定されないが、シリカ類、シリケート類、ポリアクリレート類、架橋シリコーン類、架橋炭化水素類、活性炭、デンプン系物質（例えば、コーンスターチ（局所デンプン）、タルク、コメデンプン、オート麦デンプン、タピオカデンプン、ジャガイモデンプン、豆デンプン類、大豆デンプン、カブデンプン）、微結晶セルロース（例えば、アビセル（Avicel）（登録商標））、アルミニウムスターチオクテニルスクシネート（ナショナルスターチ・アンド・ケミカル社（National Starch  Chemical Co.）によりドライフロ（DryFlo）（登録商標）ピュア（Pure）、ドライフロ（DryFlo）（登録商標）ＸＴ、ドライフロ（Dry Flo）（登録商標）ＰＣ、及び／またはドライフロ（Dry Flo）（登録商標）ＡＦ（アルミニウムを含まない等級）として販売されている）、カオリン、ケイ酸カルシウム、非晶質シリカ類、炭酸カルシウム、炭酸マグネシウム、または炭酸亜鉛、及びこれらの混合物が挙げられる。本発明で有用なシリケート類及び炭酸塩類の幾つかの具体例は、バン・ノストランド・レインホールド（Van Nostrand Reinhold）の化学百科事典（Encyclopediaof Chemist［y）、第４版、１５５、１６９、５５６、及び８４９頁（１９８４年）に更に詳細に説明されている。好ましくは、組成物は、組成物の約０．１重量％〜約３０．０重量％、より好ましくは約０．１重量％〜約２５．０重量％、及び最も好ましくは約０．５重量％〜約２０．０重量％の吸収剤を含む。」
エ　記載事項１−４
「【００４７】
　（日焼け止め活性物質類）
　日焼け止め活性物質も本明細書で化粧効果を有する試剤として有用である。・・・本発明の組成物において有用な日焼け止め剤の非限定的な例には、２−エチルヘキシル−ｐ−メトキシケイ皮酸、・・・からなる群から選択されるものがある。・・・」
オ　記載事項１−５
「【００７６】
　（実施例９）
　（圧縮粉末の第１の組成物）
【００７７】
【表３】
成分　　　　　　　　　　　　　　　　　　　　　実施例９
Ａ相：
タルク　　　　　　　　　　　　　　　　　　　　適量
雲母　　　　　　　　　　　　　　　　　　　　　１８．００
セリサイト　　　　　　　　　　　　　　　　　　２９．００
二酸化チタン　　　　　　　　　　　　　　　　　１２．００
ナイロン−１２　　　　　　　　　　　　　　　　２．００
無水珪酸　　　　　　　　　　　　　　　　　　　２．７０
プロピルパラベン　　　　　　　　　　　　　　　０．１０
メチルパラベン　　　　　　　　　　　　　　　　０．３０
デヒドロ酢酸ナトリウム　　　　　　　　　　　　０．１０
吸収性粒子類１　　　　　　　　　　　　　　　　５．００
アルミニウムクロロハイドレート　　　　　　　　　５．００
Ｂ相：
ジメチコン及びトリメチルシロキシシリケート　　　６．５
コハク酸ジオクチル　　　　　　　　　　　　　　　０．８０
ヒドロキシステアリン酸オクチル　　　　　　　　　１．００
酢酸トコフェロール　　　　　　　　　　　　　　　０．００６
メトキシケイ皮酸オクチル　　　　　　　　　　　　３．００
１皮脂及び汗を吸収する粒子類、例えば、以下に限定されないが、コボ・プロダクツ（Kobo Products）製のシリカシェルズ（Silica Shells）、シリカシェルズ（Silica Shells）−ＳＨ、またはＭＳＳ−５００／３Ｈ４の形態のシリカ、アムコル・ビューティ・ソルーションズ（Amcol Beauty Solutions）製のポリポアＥ２００またはＬ２００の形態のアリルメタクリレートクロスポリマー、ミヨシ化成（Miyoshi Kasei）製のセブマーゼ（Sebumase）の形態のアルミノメタシリケートマグネシウム、またはナショナル・スターチ（National Starch）製のナトラソーブ・バス（Natrasorb Bath）若しくはナトラソーブ（Natrasorb）ＨＦＢなどの吸収性デンプン類など
　Ａ相の成分をバルク混合（例えば、リボンブレンダー、ダブルコーンブレンダー、または手動で）で合わせ、続いて、高剪断混合し（例えば、ハンマーミル、粉砕機、またはチョッピングブレード）、あらゆる粒塊を破壊する。Ｂ相の成分をプロペラ混合機で合わせ、７５℃に加熱する。Ｂ相の成分をＡ相に添加し、バルクと高剪断混合の組み合わせで分散させる。」
（２）引用文献２
ア　記載事項２−１
「【００１０】本発明のメ−キャップ化粧料においては、外観安定性や粘度、硬度などの品質を損なわない範囲内で化粧品に一般的に使用される油剤、界面活性剤、着色剤、粉末、ワックス、紫外線吸収剤、保湿成分、薬効成分、香料、安定化剤等を配合することが可能である。」
イ　記載事項２−２
「【００１３】本発明に使用される粉末は、・・・メタケイ酸アルミン酸マグネシウム・・・等の無機粉末、・・・等が挙げられるが、化粧品に用いることができる粉末であるならこれらに限定されるものではない。・・・」
ウ　記載事項２−３
「【００１９】
【実施例】次に実施例によって本発明をさらに詳細に説明する。本発明はこれらによって限定されるものではない。配合量は重量％である。実施例に先立ち、本発明の評価方法について説明する。」
エ　記載事項２−４
「【００２６】
【実施例３】　油性ファンデ−ション
（１）　タルク　　　　　　　　　　　　　　　　　　　　　８．０
（２）　マイカ　　　　　　　　　　　　　　　　　　　　　７．０
（３）酸化チタン　　　　　　　　　　　　　　　　　　　１５．０
（４）酸化鉄（黄）　　　　　　　　　　　　　　　　　　　０．４０
（５）酸化鉄（赤）　　　　　　　　　　　　　　　　　　　０．２５
（６）酸化鉄（黒）　　　　　　　　　　　　　　　　　　　０．０３
（７）オクタメチルテトラシクロシロキサン　　　　　　　２７．３２
（８）固形パラフィン　　　　　　　　　　　　　　　　　　８．０
（９）ミツロウ　　　　　　　　　　　　　　　　　　　　　１．０
（１０）カルナバロウ　　　　　　　　　　　　　　　　　　２．０
（１１）高分子有機シリコ−ン樹脂　注３）　　　　　　　２０．０
（１２）流動パラフィン　　　　　　　　　　　　　　　　　３．０
（１３）オリ−ブ油　　　　　　　　　　　　　　　　　　　２．０
（１４）オクチルメトキシシンナメ−ト　　　　　　　　　　３．０
（１５）イソステアリン酸　　　　　　　　　　　　　　　　１．０
（１６）メタケイ酸アルミン酸マグネシウム　　　　　　　　１．０
　　　　　（商品名：ノイシリン（富士化学（株）製）
（１７）香料　　　　　　　　　　　　　　　　　　　　　　適量
（１８）酸化防止剤　　　　　　　　　　　　　　　　　　　適量
（１９）γ−オリザノ−ル　　　　　　　　　　　　　　　　適量
（２０）ビタミンＥ　　　　　　　　　　　　　　　　　　　適量
（２１）ＢＨＴ　　　　　　　　　　　　　　　　　　　　　適量
　注３）（ＣＨ3 ）3 ＳｉＯ1/2 単位および（ＣＨ3 ）2 ＳｉＯ単位およびＳｉＯ2 単位よりなり、（ＣＨ3 ）3 ＳｉＯ1/2 単位対（ＣＨ3 ）2 ＳｉＯ単位対ＳｉＯ2 単位の比率が０．６／０．２／１．０で重量平均分子量が１５０００である有機シリコ−ン樹脂
（製法）（７）〜（１５）、（１７）〜（２１）の油性成分を７０〜８０℃で加熱溶解し、オイルパートとする。（１）〜（６）、（１６）の粉末成分をオイルパートに添加し、十分に分散処理を行う。脱気処理を行い、容器に充填後、冷却し本品を得る。」
（３）引用文献３
ア　記載事項３−１
「【０１９２】
　実施例１１：日焼け止め剤（ＳＰＦ：４３．６）
　成分（ＩＮＣＩ）：［％］
　Ａ
３−（アセチルブチルアミノ）プロピオン酸エチル：１０．００
イカリジン：２
酢酸トコフェリル：０．２５
メトキシケイ皮酸エチルヘキシル、ＢＨＴ：７．５０
オクトクリレン：１０．００
ブチルメトキシジベンゾイルメタン：０．９０
ベンゾフェノン−３：１．１０
ステアリン酸グリセリル、ＰＥＧ−１００ステアレート：３．２０
ココ−グルコシド、ココナツアルコール　：１．３０
アジピン酸ジブチル：３．００
　Ｂ
ＬＡＵＲＥＴＨ−７、ポリアクリルアミド、Ｃ１３〜１４イソパラフィン：１．２０
シクロペンタシロキサン：５．００
　Ｃ
グリセリン：７．００
キサンタンガム：０．１５
ケイ酸マグネシウムアルミニウム：０．６０
ＥＤＴＡ二ナトリウム：０．１０
ＡＱＵＡ（水）：１００になるまで
　Ｄ
防腐剤：十分量
香料：０．２０
　Ｅ
トロメタミン：十分量
　調製：
　すべての相を別々に調製する。Ｃ相：キサンタンガムおよびケイ酸マグネシウムアルミニウムを７５〜８０℃に加熱して他の構成成分と混合する。Ａ相を７５℃でＣ相に加える。ホモジナイズ後、Ｂ相を６０℃で加える。ホモジナイズ後、Ｄ相を４０℃で加える。次にＥ相を加える（ｐＨ＝６．５）。」
（４）引用文献４（引用文献４は英語のため、当審による日本語訳文にて記す。）
ア　記載事項４−１（本文１行目）
「ホワイトスキンリキッド（オークル１０）」
イ　記載事項４−２（Product Details）
「会社　資生堂　日本
・・・
カテゴリー　カラー化粧品＞フェイスカラー化粧品−ファンデーション／フルイドイルミネーター
・・・
発行日　２００５年４月
・・・」
ウ　記載事項４−３（Ingredients）
「成分
　・・・エチルヘキシルメトキシシンナメート、・・・マグネシウムアルミノシリケート、・・・クエン酸ナトリウム、・・・ビタミンＥ・・・」
（５）引用文献５（引用文献５は英語のため、当審による日本語訳文にて記す。）
ア　記載事項５−１（本文１行目）
「モイスチャライズホワイトニングローション　ＳＰＦ１０」
イ　記載事項５−２（Product Details）
「会社　スプラッシュ　コーポレーション　フィリピン
・・・
カテゴリー　スキンケア＞ボディケア
・・・
発行日　２０１１年７月
・・・」
ウ　記載事項５−３（Ingredients）
「成分
　・・・オクチルメトキシシンナメート、・・・酢酸トコフェロール、・・・シリカ、・・・マグネシウムアルミニウムシリケート、・・・」
（６）引用文献６（引用文献６は英語のため、当審による日本語訳文にて記す。）
ア　記載事項６−１（本文１行目）
「ネック＆ボディエクスフォリアントローション」
イ　記載事項６−２（Product Details）
「会社　スプラッシュ　フィリピン
・・・
カテゴリー　スキンケア＞ボディケア
・・・
発行日　２００９年１月
・・・」
ウ　記載事項６−３（Ingredients）
「成分
　・・・オクチルメトキシシンナメート、・・・セルロース、・・・酢酸トコフェロール、・・・ハイドレートマグネシウムアルミニウムシリケートミネラル、・・・ジエチルアミノヒドロキシベンゾイル安息香酸ヘキシル、・・・シリカ、・・・」
（７）引用文献７（引用文献７は英語のため、当審による日本語訳文にて記す。）
ア　記載事項７−１（本文１行目）
「ホワイトニングハンド＆ボディローション　ＳＰＦ１０」
イ　記載事項７−２（Product Details）
「会社　スプラッシュ　コーポレーション　フィリピン
・・・
カテゴリー　スキンケア＞ボディケア
・・・
発行日　２０１３年１０月
・・・」
ウ　記載事項７−３（Ingredients）
「成分
　・・・オクチルメトキシシンナメート、・・・ジエチルアミノヒドロキシベンゾイル安息香酸ヘキシル、・・・酢酸トコフェロール、・・・シリカ、・・・ハイドレートマグネシウムアルミニウムシリケートミネラル、・・・」
（８）引用文献８
ア　記載事項８−１
「【０００１】
本発明は、皮膚、特に顔をメイクアップする及び／又はケアするための化粧料組成物に関する。」
イ　記載事項８−２
「【００８３】
用語“フィラー”とは白色又は無色の、鉱物又は合成の、ラメラ又は非ラメラの粒子を意味すると理解されるべきである。
【００８４】
これらのフィラーはタルク、マイカ、シリカ、カオリン、ポリ−β−アラニン粉末、ポリエチレン粉末、ラウロイルリジンの粉末、澱粉、窒化ホウ素、中空のポリマー微小球、例えばポリビニリデンクロライド／アクリロニトリル、例えばＥｘｐａｎｃｅｌ(商標)（Ｎｏｂｅｌ Ｉｎｄｕｓｔｒｉｅ）、アクリルポリマー粒子、特にアクリル酸コポリマー、例えばＰｏｌｙｔｒａｐ(商標)（Ｄｏｗ Ｃｏｒｎｉｎｇ）、ポリウレタン粉末、シリコーン樹脂ミクロビーズ（例えば東芝製のＴｏｓｐｅａｒｌｓ(商標)）、沈殿された炭酸カルシウム、リン酸ジカルシウム、炭酸マグネシウム、及び重炭酸マグネシウム、ハイドロキシアパタイト、中空シリカ微小球（Ｍａｐｒｅｃｏｓ製のシリカビーズ(商標)）、ガラス又はセラミックのマイクロカプセル、８〜２２、好ましくは１２〜１８の炭素原子を含む有機カルボン酸から誘導される金属石鹸、例えばステアリン酸亜鉛、ステアリン酸マグネシウム、又はステアリン酸リチウム、ラウリン酸亜鉛、ミリスチン酸マグネシウム、及びそれらの混合物から選択され得る。」
（９）引用文献９
ア　記載事項９−１
「【００６４】
（実施例４　ファンデーション）
（配　合　成　分）　　　　　　　　　　　　　　　　（質量％）
デカメチルシクロペンタシロキサン　　　　　　　　　　　　４０
オクタメチルシクロテトラシロキサン　　　　　　　　　　　１０
ポリ（オキシエチレン・オキシプロピレン）メチル
ポリシロキサン共重合体（ＭＷ＝５００００）　　　　　５
１，３−ブチレングリコール　　　　　　　　　　　　　　　　８
黄酸化鉄被覆雲母チタン　　　　　　　　　　　　　　　　　適量
酸化チタン　　　　　　　　　　　　　　　　　　　　　　　１０
タルク　　　　　　　　　　　　　　　　　　　　　　　　　１０
架橋型シリコーン末（トレフィルＥ−５０６）　　　　　　　　６
クエン酸　　　　　　　　　　　　　　　　　　　　　　　　適量
クエン酸ナトリウム　　　　　　　　　　　　　　　　　　　適量
ヒドロキシプロピル−β−シクロデキストリン　　　　　　　適量
酢酸ＤＬ−α−トコフェロール　　　　　　　　　　　　　　　０．０１
Ｄ−δ−トコフェロール　　　　　　　　　　　　　　　　　　０．０２
ベンガラ　　　　　　　　　　　　　　　　　　　　　　　　　０．５
黄酸化鉄　　　　　　　　　　　　　　　　　　　　　　　　　１．５
黒酸化鉄　　　　　　　　　　　　　　　　　　　　　　　　　０．２
メタケイ酸アルミン酸マグネシウム　　　　　　　　　　　　　０．１
パルミチン酸デキストリン　　　　　　　　　　　　　　　　　１
メリロートエキス　　　　　　　　　　　　　　　　　　　　　３
精製水　　　　　　　　　　　　　　　　　　　　　　　　　　４
製造例１のゲル化剤　　　　　　　　　　　　　　　　　　　　０．５
製造例２のゲル化剤　　　　　　　　　　　　　　　　　　　　０．５
（評価）
さっぱり感：◎、分離：○であった。」
（１０）引用文献１０
ア　記載事項１０−１
「【０１１１】
「実施例１：日焼け止めローション」
イミダゾリニウムベタイン　　　　　　　　　　　　　　　　　７．０
ＰＯＥ（２．５）ラウリルエーテル硫酸ナトリウム　　　　　　３．０
２−エチルヘキシルモノグリセリルエーテル　　　　　　　　　６．０
フェニルベンズイミダゾールスルホン酸　　　　　　　　　　　２．５
トリエタノールアミン　　　　　　　　　　　　　　　　　　　１．５
クエン酸　　　　　　　　　　　　　　　　　　　　　　　　　０．０１
クエン酸ナトリウム　　　　　　　　　　　　　　　　　　　　０．０９
キレート剤　　　　　　　　　　　　　　　　　　　　　　　　適　量
イオン交換水　　　　　　　　　　　　　　　　　　　　　　　残　余
オクタン酸オクチル　　　　　　　　　　　　　　　　　　　１１．３
２−エチルヘキシル−ｐ−メトキシシンナメート　　　　　　　３．８
ジエチルアミノヒドロキシベンゾイル安息香酸ヘキシル　　　　０．５
２，４，６−トリス［４−（２−エチルヘキシルオキシカルボニル）アニリノ］１，３，５−トリアジン　　　　　　　　　　　　　　　　　　　　　　０．５
４−ｔｅｒｔ−４’−メトキシジベンゾイルメタン　　　　　　０．５
【０１１２】
「実施例２：日焼け止めミスト」
イミダゾリニウムベタイン　　　　　　　　　　　　　　　　　７．０
ＰＯＥ（２）ラウリルエーテル硫酸ナトリウム　　　　　　　　１．５
ＰＯＥ（３）ラウリルエーテル硫酸ナトリウム　　　　　　　　１．５
２−エチルヘキシルモノグリセリルエーテル　　　　　　　　　５．９
フェニルベンズイミダゾールスルホン酸　　　　　　　　　　　２．５
トリエタノールアミン　　　　　　　　　　　　　　　　　　　１．５
クエン酸　　　　　　　　　　　　　　　　　　　　　　　　　０．０１
クエン酸ナトリウム　　　　　　　　　　　　　　　　　　　　０．０９
キレート剤　　　　　　　　　　　　　　　　　　　　　　　　適　量
イオン交換水　　　　　　　　　　　　　　　　　　　　　　　残　余
ノナン酸ノニル　　　　　　　　　　　　　　　　　　　　　１１．３
２−エチルヘキシル−ｐ−メトキシシンナメート　　　　　　　３．７５
２，４−ビス−［｛４−（２−エチルヘキシルオキシ）−２−ヒドロキシ｝−フェニル］−６−（４−メトキシフェニル）−１，３，５−トリアジン　　１．０
オクトクリレン　　　　　　　　　　　　　　　　　　　　　　１．０
【０１１３】
「実施例３：日焼け止めローション」
フィタントリオール　　　　　　　　　　　　　　　　　　　２８．５
クエン酸　　　　　　　　　　　　　　　　　　　　　　　　　０．０１
クエン酸ナトリウム　　　　　　　　　　　　　　　　　　　　０．０９
キレート剤　　　　　　　　　　　　　　　　　　　　　　　　適　量
イオン交換水　　　　　　　　　　　　　　　　　　　　　　　残　余
ジメチルポリシロキサン　　　　　　　　　　　　　　　　　６１．０
２−エチルヘキシル−ｐ−メトキシシンナメート　　　　　　　５．０
ジエチルアミノヒドロキシベンゾイル安息香酸ヘキシル　　　　０．５
【０１１４】
「実施例４：日焼け止めリキッド」
モノイソステアリン酸グリセリル　　　　　　　　　　　　　４４．４
クエン酸　　　　　　　　　　　　　　　　　　　　　　　　　０．０１
クエン酸ナトリウム　　　　　　　　　　　　　　　　　　　　０．０９
キレート剤　　　　　　　　　　　　　　　　　　　　　　　　適　量
イオン交換水　　　　　　　　　　　　　　　　　　　　　　　残　余
イソドデカン　　　　　　　　　　　　　　　　　　　　　　４５．０
オクトクリレン　　　　　　　　　　　　　　　　　　　　　　２．２
４−ｔｅｒｔ−４’−メトキシジベンゾイルメタン　　　　　　１．１
２，４−ビス−［｛４−（２−エチルヘキシルオキシ）−２−ヒドロキシ｝−フェニル］−６−（４−メトキシフェニル）−１，３，５−トリアジン　　０．５
２−エチルヘキシル−ｐ−メトキシシンナメート　　　　　　　１．６
ジエチルアミノヒドロキシベンゾイル安息香酸ヘキシル　　　　０．５」
２．引用文献に記載された発明、公然実施発明
（１）引用文献１に記載された発明
　引用文献１の記載事項１−１〜１−５、特に記載事項１−５からみて、引用文献１には、以下の発明が記載されているといえる。
「第１の組成物と第２の組成物を含む複数段階の顔面用ファンデーション製品として適用するのに好適な化粧キットのうちの第１の組成物であって、吸収性粒子類としてアルミノメタシリケートマグネシウムを５．００重量％、メトキシケイ皮酸オクチルを３．００重量％及びその他の所定成分を含む第１の組成物。」（以下、「引用発明１」という。）
（２）引用文献２に記載された発明
　引用文献２の記載事項２−３〜２−４からみて、引用文献２には、以下の発明が記載されているといえる。
「メタケイ酸アルミン酸マグネシウム１．０重量％、オクチルメトキシシンナメート３．０重量％及びその他の所定成分を含有する油性ファンデーション。」（以下、「引用発明２」という。）
（３）引用文献３に記載された発明
　引用文献３の記載事項３−１からみて、引用文献３には、以下の発明が記載されているといえる。
「ケイ酸マグネシウムアルミニウム０．６０％、メトキシケイ皮酸エチルヘキシル及びその他の所定成分を含有する日焼け止め剤。」（以下、「引用発明３」という。）
（４）引用文献４に記載された発明、引用文献４の記載から把握される公然実施発明
　引用文献４の記載事項４−１〜４−３からみて、引用文献４には、資生堂の「ホワイトスキンリキッド（オークル１０）」というリキッドファンデーションが記載され、該リキッドファンデーションは、成分として、エチルヘキシルメトキシシンナメート、マグネシウムアルミノシリケート、クエン酸ナトリウム及びビタミンＥなどを含むことが記載されている。さらに、引用文献４の記載事項４−２から、上記リキッドファンデーションが遅くとも２００５年４月には上市されていたことが認められる。そうすると、引用文献４には以下の発明が記載されているといえ、該発明は、本願優先日前に公然実施されたものと認められる。
「エチルヘキシルメトキシシンナメート、マグネシウムアルミノシリケート及びその他の所定成分を含むリキッドファンデーション。」（以下、「引用発明４」という。）
（５）引用文献５に記載された発明、引用文献５の記載から把握される公然実施発明
　引用文献５の記載事項５−１〜５−３からみて、引用文献５には、スプラッシュ　コーポレーションの「モイスチャライズホワイトニングローション　ＳＰＦ１０」というボディケアローションが記載され、該ボディケアローションは、成分として、オクチルメトキシシンナメート、酢酸トコフェロール、シリカ及びマグネシウムアルミニウムシリケートなどを含むことが記載されている。さらに、引用文献５の記載事項５−２から、上記ボディケアローションが遅くとも２０１１年７月には上市されていたことが認められる。そうすると、引用文献５には以下の発明が記載されているといえ、該発明は、本願優先日前に公然実施されたものと認められる。
「オクチルメトキシシンナメート、マグネシウムアルミニウムシリケート及びその他の所定成分を含むボディケアローション。」（以下、「引用発明５」という。）
（６）引用文献６に記載された発明、引用文献６の記載から把握される公然実施発明
　引用文献６の記載事項６−１〜６−３からみて、引用文献６には、スプラッシュの「ネック＆ボディエクスフォリアントローション」というボディケアローションが記載され、該ボディケアローションは、成分として、オクチルメトキシシンナメート、セルロース、酢酸トコフェロール、ハイドレートマグネシウムアルミニウムシリケートミネラル、ジエチルアミノヒドロキシベンゾイル安息香酸ヘキシル及びシリカなどを含むことが記載されている。さらに、引用文献６の記載事項６−２から、上記ボディケアローションが遅くとも２００９年１月には上市されていたことが認められる。そうすると、引用文献６には以下の発明が記載されているといえ、該発明は、本願優先日前に公然実施されたものと認められる。
「オクチルメトキシシンナメート、ハイドレートマグネシウムアルミニウムシリケートミネラル、ジエチルアミノヒドロキシベンゾイル安息香酸ヘキシル及びその他の所定成分を含むボディケアローション。」（以下、「引用発明６」という。）
（７）引用文献７に記載された発明、引用文献７の記載から把握される公然実施発明
　引用文献７の記載事項７−１〜７−３からみて、引用文献７には、スプラッシュ　コーポレーションの「ホワイトニングハンド＆ボディローション　ＳＰＦ１０」というボディケアローションが記載され、該ボディケアローションは、成分として、オクチルメトキシシンナメート、ジエチルアミノヒドロキシベンゾイル安息香酸ヘキシル、酢酸トコフェロール、シリカ及びハイドレートマグネシウムアルミニウムシリケートミネラルなどを含むことが記載されている。さらに、引用文献７の記載事項７−２から、上記ボディケアローションが遅くとも２０１３年１０月には上市されていたことが認められる。そうすると、引用文献７には以下の発明が記載されているといえ、該発明は、本願優先日前に公然実施されたものと認められる。
「オクチルメトキシシンナメート、ジエチルアミノヒドロキシベンゾイル安息香酸ヘキシル、ハイドレートマグネシウムアルミニウムシリケートミネラル及びその他の所定成分を含むボディケアローション。」（以下、「引用発明７」という。）
第５　対比・判断
１．引用発明１を主引例とする拒絶理由
（１）本願発明１について
ア　対比
　本願発明１と引用発明１とを対比すると、次のことがいえる。
　引用発明１の「アルミノメタシリケートマグネシウム」、「メトキシケイ皮酸オクチル」は、それぞれ、本願発明１における「メタケイ酸アルミン酸マグネシウム」、「オクチルメトキシシンナメート」に相当する。また、引用発明１の「アルミノメタシリケートマグネシウム」の含有量は「５．００重量％」であるので、本願発明１の「０．００１〜１０質量％のメタケイ酸アルミン酸マグネシウム」と重複し、引用発明１の「メトキシケイ皮酸オクチル」の含有量は「３．００重量％」であるので、本願発明１の「１〜４０質量％のオクチルメトキシシンナメート」と重複する。なおここで、質量％と重量％は、実質的に同義であるのは技術常識である。
　さらに、引用発明１は、「メタケイ酸アルミン酸マグネシウム」、「オクチルメトキシシンナメート」以外の成分も含むが、本願発明１は両成分を含有する化粧料であって、本願明細書の段落【００２０】〜【００４０】の記載からみて、他の成分や他の任意成分を含み得るものであるから、この点は両者の相違点とはならない。
　また、引用発明１の「第１の組成物」は、顔面用ファンデーション製品として適用するのに好適な化粧キットを構成する組成物であることから、「化粧料」であるといえる。
　したがって、本願発明１と引用発明１との間には、次の一致点、相違点があるといえる。
（一致点）
「（Ａ）０．００１〜１０質量％のメタケイ酸アルミン酸マグネシウムと、
（Ｂ）１〜４０質量％のオクチルメトキシシンナメートと、
を含有することを特徴とする化粧料。」
（相違点）
（相違点１）本願発明１は「大気汚染物質、酸性液体及び紫外線を含む外的刺激から肌を保護するためのアンチポリューション化粧料」であるのに対し、引用発明１はかかる特定のない「化粧料」である点。
イ　判断
　「アンチポリューション化粧料」について、本願明細書には、「【０００２】　皮膚や毛髪は常に外的刺激に曝されており、外的環境から様々なダメージを受けている。特に最近注目されている微小粒子状物質等の大気汚染物質や酸性雨等の酸性液体は、皮膚に付着することにより肌に悪影響を及ぼすことが知られている。また、ＵＶＡ、ＵＶＢ等の紫外線も、皮膚にダメージを与え、肌老化の原因となることが解明されている。　これらの外的刺激から肌を保護するためには、ダメージの原因となり得る物質を肌に付着させないこと及び／又は付着した刺激原因物質による悪影響を緩和（酸化防止又は中和）すること等が考えられる。」、「【０００３】　化粧品に前記のような肌を保護する機能を持たせた、いわゆる「アンチポリューション化粧料」・・・」、「【０００７】　よって本発明は、大気汚染物質や酸性液体のみならず紫外線を含む様々な外的刺激から肌を有効に保護することができるスキンケア化粧料、即ちアンチポリューション化粧料を提供することを目的とする。」と記載されていることから、本願発明１における「アンチポリューション化粧料」とはいわゆる日焼け止めクリーム等として外的環境にさらされる肌に適用されるスキンケア化粧料であると認められるところ、引用発明１は顔面用ファンデーション製品として適用するのに好適な化粧キットのうちの第１の組成物であることから、
外的環境にさらされる肌に適用されるスキンケア化粧料である点においては
　しかしながら、本願発明１は、微小粒子状物質等の大気汚染物質に対する吸着性というメタケイ酸アルミン酸マグネシウムの属性（実施例１）に基づくものとして、「大気汚染物質、酸性液体及び紫外線を含む外的刺激から肌を保護するためのアンチポリューション化粧料」なる用途を規定したものであるところ、引用文献１には、引用発明１におけるメタケイ酸アルミン酸マグネシウムが「皮脂及び汗を吸収する粒子類」であることは記載されるものの（記載事項１−５）、メタケイ酸アルミン酸マグネシウムが微小粒子状物質等の大気汚染物質に対する吸着性を有することについては記載も示唆もない。
　そうすると、本願発明１で規定される「大気汚染物質、酸性液体及び紫外線を含む外的刺激から肌を保護するためのアンチポリューション化粧料」なる用途は、微小粒子状物質等の大気汚染物質に対する吸着性というメタケイ酸アルミン酸マグネシウムの未知の属性に基づく新たな用途というべきものであり、本願発明１と引用発明１とは、かかる用途の点において、実質的に相違するものである。
　よって、本願発明１は、引用文献１に記載された発明ではなく、特許法第２９条第１項第３号に該当しない。
　また、上述のとおり、引用文献１には、メタケイ酸アルミン酸マグネシウムが微小粒子状物質等の大気汚染物質に対する吸着性を有することを示す記載は何らないことから、本願発明１は、引用発明１及び引用文献１に記載された事項に基づいて当業者が容易に発明できたものであるともいえない。
（２）本願発明２について
　本願発明２は、本願発明１において「（Ｃ）多孔性粉末を更に含有する」ことを更に特定するものであって、本願発明１の発明特定事項の全てを具備するものである。
　よって、本願発明１について説示したのと同様の理由から、本願発明２は、引用文献１に記載された発明ではなく、特許法第２９条第１項第３号に該当しない。
　また、引用文献８には、化粧料組成物にフィラーとして配合するための多孔性粉末が記載されているだけであって、当該記載及び引用文献８のその他の記載をみても、メタケイ酸アルミン酸マグネシウムが微小粒子状物質等の大気汚染物質に対する吸着性を有することについての記載ないし示唆はないから、引用発明１において、相違点１の構成を採ることは、引用文献１及び８の記載事項から当業者であっても容易に想到し得たことではない。
　よって、本願発明２は引用発明１並びに引用文献１及び８に記載された事項に基づいて当業者が容易に発明できたものであるとはいえない。
（３）本願発明３について
　本願発明３は、本願発明１又は２において「（Ｄ）クエン酸（塩）を更に含有する」ことを更に特定するものであって、本願発明１の発明特定事項の全てを具備するものである。
　よって、本願発明１について説示したのと同様の理由から、本願発明３は、引用文献１に記載された発明ではなく、特許法第２９条第１項第３号に該当しない。
　また、引用文献９〜１０には、メタケイ酸アルミン酸マグネシウムやオクチルメトキシシナメート、ジエチルアミノヒドロキシベンゾイル安息香酸ヘキシルを含有する化粧料において、ｐＨ調整剤であるクエン酸−クエン酸塩を含有させる点について記載されているだけであって、当該記載及び引用文献９〜１０のその他の記載をみても、メタケイ酸アルミン酸マグネシウムが微小粒子状物質等の大気汚染物質に対する吸着性を有することについての記載ないし示唆はないから、引用発明１において、相違点１の構成を採ることは、引用文献１及び９〜１０の記載事項から当業者であっても容易に想到し得たことではない。
　よって、本願発明２は引用発明１並びに引用文献１及び９〜１０に記載された事項に基づいて当業者が容易に発明できたものであるとはいえない。
（４）本願発明４について
　本願発明４は、本願発明１〜３のいずれかにおいて「（Ｅ）抗酸化剤を更に含有する」ことを更に特定するものであって、本願発明１の発明特定事項の全てを具備するものである。
　よって、本願発明１について説示したのと同様の理由から、本願発明４は、引用文献１に記載された発明ではなく、特許法第２９条第１項第３号に該当しない。
　また、先の（１）で示したとおり、引用文献１には、メタケイ酸アルミン酸マグネシウムが微小粒子状物質等の大気汚染物質に対する吸着性を有することを示す記載は何らないことから、本願発明４は、引用発明１及び引用文献１に記載された事項に基づいて当業者が容易に発明できたものであるとはいえない。
２．引用発明２を主引例とする拒絶理由
（１）本願発明１について
ア　対比
　本願発明１と引用発明２とを対比すると、次のことがいえる。
　引用発明２の「油性ファンデーション」は、本願発明１の「化粧料」に相当する。
　また、引用発明２の「メタケイ酸アルミン酸マグネシウム」の含有量は「１．０重量％」であるので、本願発明１の「０．００１〜１０質量％のメタケイ酸アルミン酸マグネシウム」と重複し、引用発明２の「オクチルメトキシシンナメート」の含有量は「３．０重量％」であるので、本願発明１の「１〜４０質量％のオクチルメトキシシンナメート」と重複する。
　さらに、引用発明２は、「メタケイ酸アルミン酸マグネシウム」、「オクチルメトキシシンナメート」以外の成分も含むが、本願発明１は両成分を含有する化粧料であって、本願明細書の段落【００２０】〜【００４０】の記載からみて、他の成分や他の任意成分を含み得るものであるから、この点は両者の相違点とはならない。
　したがって、本願発明１と引用発明２との間には、次の一致点、相違点があるといえる。
（一致点）
「（Ａ）０．００１〜１０質量％のメタケイ酸アルミン酸マグネシウムと、
（Ｂ）１〜４０質量％のオクチルメトキシシンナメートと、
を含有することを特徴とする化粧料。」
（相違点）
（相違点１）本願発明１は「大気汚染物質、酸性液体及び紫外線を含む外的刺激から肌を保護するためのアンチポリューション化粧料」であるのに対し、引用発明２はかかる特定のない「化粧料」である点。
イ　判断
　上述のとおり、本願発明１における「アンチポリューション化粧料」とは、いわゆる日焼け止めクリーム等として外的環境にさらされる肌に適用されるスキンケア化粧料であると認められるところ、引用発明２は油性ファンデーションであり肌に塗布される化粧料であることから、
外的環境にさらされる肌に適用されるスキンケア化粧料である点においては
　しかしながら、本願発明１は、微小粒子状物質等の大気汚染物質に対する吸着性というメタケイ酸アルミン酸マグネシウムの属性（実施例１）に基づくものとして、「大気汚染物質、酸性液体及び紫外線を含む外的刺激から肌を保護するためのアンチポリューション化粧料」なる用途を規定したものであるところ、引用文献２には、引用発明２におけるメタケイ酸アルミン酸マグネシウムが化粧品に一般的に使用される「粉末」であることは記載されるものの（記載事項２−１〜２−２）、メタケイ酸アルミン酸マグネシウムが微小粒子状物質等の大気汚染物質に対する吸着性を有することについては記載も示唆もない。
　そうすると、本願発明１で規定される「大気汚染物質、酸性液体及び紫外線を含む外的刺激から肌を保護するためのアンチポリューション化粧料」なる用途は、微小粒子状物質等の大気汚染物質に対する吸着性というメタケイ酸アルミン酸マグネシウムの未知の属性に基づく新たな用途というべきものであり、本願発明１と引用発明２とは、かかる用途の点において、実質的に相違するものである。
　よって、本願発明１は、引用文献２に記載された発明ではなく、特許法第２９条第１項第３号に該当しない。
　また、上述のとおり、引用文献２には、メタケイ酸アルミン酸マグネシウムが微小粒子状物質等の大気汚染物質に対する吸着性を有することを示す記載は何らないことから、本願発明１は、引用発明２及び引用文献２に記載された事項に基づいて当業者が容易に発明できたものであるともいえない。
（２）本願発明２〜４について
　本願発明２は、本願発明１において「（Ｃ）多孔性粉末を更に含有する」ことを更に特定するものであり、本願発明３は、本願発明１又は２において「（Ｄ）クエン酸（塩）を更に含有する」ことを更に特定するものであり、本願発明４は、本願発明１〜３のいずれかにおいて「（Ｅ）抗酸化剤を更に含有する」ことを更に特定するものであって、本願発明２〜４は本願発明１の発明特定事項の全てを具備するものである。
　よって、本願発明１について説示したのと同様の理由から、本願発明２〜４は、引用文献２に記載された発明ではなく、特許法第２９条第１項第３号に該当しない。
　また、先の（１）で示したとおり、引用文献２には、メタケイ酸アルミン酸マグネシウムが微小粒子状物質等の大気汚染物質に対する吸着性を有することを示す記載は何らないことから、本願発明２〜４は、引用発明２及び引用文献２に記載された事項に基づいて当業者が容易に発明できたものであるとはいえない。
３．引用発明３を主引例とする拒絶理由
（１）本願発明１について
ア　対比
　本願発明１と引用発明３とを対比すると、次のことがいえる。
　引用発明３の「ケイ酸マグネシウムアルミニウム」、「メトキシケイ皮酸エチルヘキシル」、「日焼け止め剤」は、それぞれ、本願発明１の「メタケイ酸アルミン酸マグネシウム」、「オクチルメトキシシンナメート」、「化粧料」に相当する。
　また、引用発明３の「ケイ酸マグネシウムアルミニウム」の含有量は「０．６０％」であるので、本願発明１の「０．００１〜１０質量％のメタケイ酸アルミン酸マグネシウム」と重複する。
　さらに、引用発明３は、「メタケイ酸アルミン酸マグネシウム」、「オクチルメトキシシンナメート」以外の成分も含むが、本願発明１は両成分を含有する化粧料であって、本願明細書の段落【００２０】〜【００４０】の記載からみて、他の成分や他の任意成分を含み得るものであるから、この点は両者の相違点とはならない。
　したがって、本願発明１と引用発明３との間には、次の一致点、相違点があるといえる。
（一致点）
「（Ａ）０．００１〜１０質量％のメタケイ酸アルミン酸マグネシウムと、
（Ｂ）オクチルメトキシシンナメートと、
を含有することを特徴とする化粧料。」
（相違点）
（相違点１）本願発明１は「大気汚染物質、酸性液体及び紫外線を含む外的刺激から肌を保護するためのアンチポリューション化粧料」であるのに対し、引用発明３はかかる特定のない「化粧料」である点。
（相違点２）本願発明１はオクチルメトキシシンナメートの含有量が「１〜４０質量％」と特定されているのに対し、引用発明３はかかる含有量の特定がない点。
イ　判断
　上述のとおり、本願発明１における「アンチポリューション化粧料」は、いわゆる日焼け止めクリーム等として外的環境にさらされる肌に適用されるスキンケア化粧料であると認められるところ、引用発明３は日焼け止め剤であり肌に塗布される化粧料であることから、
外的環境にさらされる肌に適用されるスキンケア化粧料である点においては
　しかしながら、本願発明１は、微小粒子状物質等の大気汚染物質に対する吸着性というメタケイ酸アルミン酸マグネシウムの属性（実施例１）に基づくものとして、「大気汚染物質、酸性液体及び紫外線を含む外的刺激から肌を保護するためのアンチポリューション化粧料」なる用途を規定したものであるところ、引用発明３における、メタケイ酸アルミン酸マグネシウムの添加目的は明らかでないが、引用文献３には、メタケイ酸アルミン酸マグネシウムが微小粒子状物質等の大気汚染物質に対する吸着性を有することを示す記載や示唆は見い出せない。
　そうすると、本願発明１で規定される「大気汚染物質、酸性液体及び紫外線を含む外的刺激から肌を保護するためのアンチポリューション化粧料」なる用途は、微小粒子状物質等の大気汚染物質に対する吸着性というメタケイ酸アルミン酸マグネシウムの未知の属性に基づく新たな用途というべきものであり、本願発明１と引用発明３とは、かかる用途の点において、実質的に相違するものである。
　よって、本願発明１は、引用文献３に記載された発明ではなく、特許法第２９条第１項第３号に該当しない。
　また、上述のとおり、引用文献３には、メタケイ酸アルミン酸マグネシウムが微小粒子状物質等の大気汚染物質に対する吸着性を有することを示す記載は何らないことから、相違点２について検討するまでもなく、本願発明１は、引用発明３及び引用文献３に記載された事項に基づいて当業者が容易に発明できたものであるともいえない。
（２）本願発明２〜４について
　本願発明２は、本願発明１において「（Ｃ）多孔性粉末を更に含有する」ことを更に特定するものであり、本願発明３は、本願発明１又は２において「（Ｄ）クエン酸（塩）を更に含有する」ことを更に特定するものであり、本願発明４は、本願発明１〜３のいずれかにおいて「（Ｅ）抗酸化剤を更に含有する」ことを更に特定するものであって、本願発明２〜４は本願発明１の発明特定事項の全てを具備するものである。
　よって、本願発明１について説示したのと同様の理由から、本願発明２〜４は、引用文献３に記載された発明ではなく、特許法第２９条第１項第３号に該当しない。
　また、先の（１）で示したとおり、引用文献３には、メタケイ酸アルミン酸マグネシウムが微小粒子状物質等の大気汚染物質に対する吸着性を有することを示す記載は何らないことから、本願発明２〜４は、引用発明３及び引用文献３に記載された事項に基づいて当業者が容易に発明できたものであるとはいえない。
４．引用発明４〜７をそれぞれ主引例とする拒絶理由
（１）本願発明１について
ア　対比
　本願発明１と引用発明４〜７とを対比すると、次のことがいえる。
　引用発明４の「マグネシウムアルミノシリケート」、引用発明５の「マグネシウムアルミニウムシリケート」、引用発明６及び７の「ハイドレートマグネシウムアルミニウムシリケートミネラル」は、本願発明１における「メタケイ酸アルミン酸マグネシウム」に相当する。また、引用発明４の「エチルヘキシルメトキシシンナメート」は、本願発明１における「オクチルメトキシシンナメート」に相当する。
　さらに、引用発明４〜７は、「メタケイ酸アルミン酸マグネシウム」、「オクチルメトキシシンナメート」、「ジエチルアミノヒドロキシベンゾイル安息香酸ヘキシル」以外の成分も含むが、本願発明１はこれらの成分を含有する化粧料であって、本願明細書の段落【００２０】〜【００４０】の記載からみて、他の成分や他の任意成分を含み得るものであるから、この点は両者の相違点とはならない。
　また、引用発明４の「リキッドファンデーション」、引用発明５〜７の「ボディケアローション」は、本願発明１の「化粧料」に相当する。
　したがって、本願発明１と各引用発明との間には、次の一致点、相違点があるといえる。
（一致点）
「（Ａ）メタケイ酸アルミン酸マグネシウムと、
（Ｂ）オクチルメトキシシンナメート及び／又はジエチルアミノヒドロキシベンゾイル安息香酸ヘキシルと、
を含有することを特徴とする化粧料。」
（相違点）
（相違点１）本願発明１は「大気汚染物質、酸性液体及び紫外線を含む外的刺激から肌を保護するためのアンチポリューション化粧料」であるのに対し、各引用発明はかかる特定のない「化粧料」である点。
（相違点２’）本願発明１はメタケイ酸アルミン酸マグネシウムの含有量が「０．００１〜１０質量％」と特定され、オクチルメトキシシンナメート及び／又はジエチルアミノヒドロキシベンゾイル安息香酸ヘキシルの含有量が「１〜４０質量％」と特定されているのに対し、各引用発明はかかる含有量の特定がない点。
イ　判断
　上述のとおり、本願発明１における「アンチポリューション化粧料」は、いわゆる日焼け止めクリーム等として外的環境にさらされる肌に適用されるスキンケア化粧料であると認められるところ、引用発明４〜７のそれぞれは肌に塗布される化粧料であることから、
外的環境にさらされる肌に適用されるスキンケア化粧料である点においては
　しかしながら、本願発明１は、微小粒子状物質等の大気汚染物質に対する吸着性というメタケイ酸アルミン酸マグネシウムの属性（実施例１）に基づくものとして、「大気汚染物質、酸性液体及び紫外線を含む外的刺激から肌を保護するためのアンチポリューション化粧料」なる用途を規定したものであるところ、引用発明４〜７における、メタケイ酸アルミン酸マグネシウムの添加目的は明らかでないが、引用文献４〜７には、メタケイ酸アルミン酸マグネシウムが微小粒子状物質等の大気汚染物質に対する吸着性を有することを示す記載や示唆は見い出せない。
　そうすると、本願発明１で規定される「大気汚染物質、酸性液体及び紫外線を含む外的刺激から肌を保護するためのアンチポリューション化粧料」なる用途は、微小粒子状物質等の大気汚染物質に対する吸着性というメタケイ酸アルミン酸マグネシウムの未知の属性に基づく新たな用途というべきものであり、本願発明１と引用発明４〜７とは、かかる用途の点において、実質的に相違するものである。
　よって、本願発明１は、引用文献４〜７に記載された発明ではなく、特許法第２９条第１項第３号に該当しない。また、本願発明１は公然実施された発明ではなく、特許法第２９条第１項第２号に該当しない。
　また、上述のとおり、引用文献４〜７には、メタケイ酸アルミン酸マグネシウムが微小粒子状物質等の大気汚染物質に対する吸着性を有することを示す記載は何らないことから、相違点２’について検討するまでもなく、本願発明１は、引用発明４〜７及び引用文献４〜７に記載された事項に基づいて当業者が容易に発明できたものであるともいえない。
（２）本願発明２〜４について
　本願発明２は、本願発明１において「（Ｃ）多孔性粉末を更に含有する」ことを更に特定するものであり、本願発明３は、本願発明１又は２において「（Ｄ）クエン酸（塩）を更に含有する」ことを更に特定するものであり、本願発明４は、本願発明１〜３のいずれかにおいて「（Ｅ）抗酸化剤を更に含有する」ことを更に特定するものであって、本願発明２〜４は本願発明１の発明特定事項の全てを具備するものである。
　よって、本願発明１について説示したのと同様の理由から、本願発明２〜４は、引用文献４〜７に記載された発明ではなく、特許法第２９条第１項第３号に該当しない。また、本願発明２〜４は公然実施された発明ではなく、特許法第２９条第１項第２号に該当しない。
　また、先の（１）で示したとおり、引用文献４〜７には、メタケイ酸アルミン酸マグネシウムが微小粒子状物質等の大気汚染物質に対する吸着性を有することを示す記載は何らないことから、本願発明２〜４は、引用発明４〜７及び引用文献４〜７に記載された事項に基づいて当業者が容易に発明できたものであるとはいえない。
第６　原査定について
　審判請求時の補正により、本願発明１〜４は「大気汚染物質、酸性液体及び紫外線を含む外的刺激から肌を保護するためのアンチポリューション化粧料」という事項を有するものとなっており、前記第５で説示したとおり、この点において、引用発明１〜７とは相違点を有するものであり、本願発明１〜４は特許法第２９条第１項第３号に該当せず、同項第２号に該当しない。また、本願発明１〜４は、拒絶査定において引用された引用文献１〜１０に基づいて当業者が容易に発明できたものともいえない。
　よって、原査定の理由１〜３を維持することはできない。
第７　むすび
　以上のとおり、原査定の理由によって本願を拒絶することはできない。
　また、他に本願を拒絶すべき理由を発見しない。
　よって、結論のとおり審決する。